(57)【要約】【課題】画像形成ユニットの着脱が簡単で且つ部材配設空間を可及的に小さく構成できる位置決め機構を提供する。【解決手段】光ヘッド１１が光書き込み位置にあるとき光ヘッド１１の前方ヘッド係合孔５３に画像形成ユニット６の感光体ドラム７のドラムカバー５１にある前方ヘッドピン４７が嵌入して双方のＸＹ方向が位置決めされ、感光体ドラム７の前端部周面にスペーサ４３を介して前方位置決め部材４９が当接することにより光ヘッド１１のＺ方向が位置決めされる。また光ヘッド１１の後方ヘッド係合孔５４にプリンタ本体の後方ヘッドピン４８が嵌入して光ヘッド１１と画像形成ユニット６相互のＸＹ方向の位置決めを間接的に行う。Ｚ方向の位置決めは上記と同様である。解除レバー４４がオペレータによって上方に引き上げられると光ヘッド１１が上方の退避位置へ移動し前方ヘッドピン４７が前方ヘッド係合孔５３から抜け出すだけの間隙が光ヘッド１１と感光体ドラム７間に形成される。【選択図】      図６
2006258909.tif 000002
【特許請求の範囲】
【請求項１】
静電潜像の形成される感光体ドラムを少なくとも有し画像形成装置本体に対しドラム軸方向に着脱自在な画像形成ユニットと、前記画像形成装置本体に対し装着された前記画像形成ユニットの前記感光体ドラムの表面に対向して配置され該感光体ドラムの表面に対し光書き込みのための所定の近接位置と前記表面に対し前記近接位置よりも離隔する離隔位置とに接離自在に設けられた光ヘッドと、に対して、前記ドラム軸方向と該ドラム軸方向と直交する方向の２方向における位置を位置決めする位置決め機構において、
前記光ヘッドの前記ドラム軸方向の引き出し方向手前側に設けられた手前側係合部及び前記ドラム軸方向の引き出し方向奥側に設けられた奥側係合部と、
前記光ヘッドの前記手前側係合部と係合可能に前記画像形成ユニットの前記ドラム軸方向に沿って設けられたユニット係合部と、
前記画像形成装置本体の前記画像形成ユニットの装着部奥側に設けられ、前記光ヘッドの前記奥側係合部と係合可能な装置本体係合部と、
から成ることを特徴とする位置決め機構。
【請求項２】
前記光ヘッドの前記手前側係合部は係合孔であり、前記ユニット係合部は前記画像形成ユニットにおいて前記ドラム軸方向の引き出し方向手前側における前記感光体ドラムとの係合部に形成された係合凸部である、ことを特徴とする請求項１記載の位置決め機構。
【請求項３】
前記光ヘッドの前記奥側係合部は係合孔又は係合凸部であり、前記画像形成装置本体の前記装着部奥側に設けられた装置本体係合部は係合凸部又は係合孔である、ことを特徴とする請求項１記載の位置決め機構。
【発明の詳細な説明】
【技術分野】
【０００１】
本発明は、画像形成ユニットの着脱が簡単で且つ部材配設空間を可及的に小さく構成できる位置決め機構に関する。
【背景技術】
【０００２】
従来、電子写真式の画像形成装置がある。特に近年ではシアン、マゼンタ、イエロー、ブラックの４色のトナーを用い、用紙（枚葉紙状の画像形成媒体、以下同様）にフルカラーの印字（印刷または画像形成を含む、以下同様）を行うタンデム型のページプリンタが実用化されている。
【０００３】
通常、電子写真式の画像形成装置は、感光体キットと現像キットとが一体に組み込まれて画像形成ユニットを構成し、この画像形成ユニットに更に光書込みヘッド（単に光ヘッドともいう）が組み付けられて画像形成部が構成される。
【０００４】
画像形成部で形成された画像は、給紙装置から給送されてくる用紙に転写され、定着部に搬入されて熱と圧力で画像が用紙に定着されて、機外に排出される。
ところで、用紙ジャムや画像形成不良などが発生したときは、それらの不具合回復のためのメンテナンスを行わなければならない。また、新旧のキット又はユニットを交換するときにも同様に交換のメンテナンスを行わなければならない。
【０００５】
このようなときは、画像形成装置本体から光書込みヘッド、感光体キット、現像キット等を一体に取り出して分解するのではなく、それらを別体に分離して単体で取り出せるようにしないとメンテナンスの作業が、手数の掛かる面倒なものとなってしまう。
【０００６】
そのためには、装置本体上面の蓋が開けられることによって、その蓋の裏面に支持部材を介して取り付けられている光書込みヘッドが蓋の回動と共に円弧状に外部に持ち上げられ、その後、装置本体内部に残されたキット類が外部に取り出し可能となるようにした構成のものがある。（例えば、参考文献１参照。）
また、装置本体上部が上方に大きく移動できるように構成され、この上部に支持部材を介してキット類が支持されるように構成されており、そこでキット類を外部に引き出せるように構成したものもある。（例えば、参考文献２参照。）
【特許文献１】特開平０９−１６０３３３号公報（［要約］、図１）
【特許文献２】特開２００１−２４２７６３号公報（［要約］、図５）
【発明の開示】
【発明が解決しようとする課題】
【０００７】
しかしながら、特許文献１のように上部機体（蓋の裏面に支持部材を介して取り付けられている光書込みヘッド群）を開放してメンテナンスを行う方式では、上面の蓋をヒンジを中心に片開きにするが、上面の蓋は排紙トレーを兼ねており、したがって、この排紙トレーを兼ねた蓋の上面に載っている画像形成済みの用紙を取り除いてからでないと、上部機体の開放が出来ないという面倒がある。
【０００８】
また、この場合、特許文献１に示されるようにキットを装置本体下部に残すタイプと、特には図示しないが、キットを上部機体と共に上方に持ち上げるタイプがある。前者のようにキットを装置本体下部に残すタイプは、回動する上部機体部分を軽くすることができるものの、キット下方の搬送路に発生している用紙ジャムの回復処理のためには、キットを更に外部に取り出す煩雑さが付き纏う。
【０００９】
また、後者のように、複数のキットを上部機体と共に持ち上げるタイプは、ヒンジを中心に回動する機構に加わる重量が過多となって、メンテナンス機構全体に経時疲労が早期に発生して好ましい構造であるとは言いがたかった。
【００１０】
引用文献２では、用紙を取り除く手数を解消し、且つ一部の機構のみに過度に掛かる荷重の問題を解消しているので、操作性が向上し且つメンテナンス機構の寿命の長期化という点でも改善がなされている。
【００１１】
しかしながら、平行リンクを用いてキットが傾かないようにすると共に、その重量を支えるために、リンク機構が複雑になって装置が大型化するという問題が残されていた。
本発明の課題は、上記従来の実情に鑑み、着脱が簡単でキット操作や用紙ジャム復元処理のメンテナンス処理を容易に行うことができる画像形成ユニットに設けられ、且つ部材配設空間を可及的に小さく構成できる位置決め機構を提供することである。
【課題を解決するための手段】
【００１２】
以下に、本発明に係わる位置決め機構の構成を述べる。
本発明の位置決め機構は、静電潜像の形成される感光体ドラムを少なくとも有し画像形成装置本体に対しドラム軸方向に着脱自在な画像形成ユニットと、上記画像形成装置本体に対し装着された上記画像形成ユニットの上記感光体ドラムの表面に対向して配置され該感光体ドラムの表面に対し光書き込みのための所定の近接位置と上記表面に対し上記近接位置よりも離隔する離隔位置とに接離自在に設けられた光ヘッドと、に対して、上記ドラム軸方向と該ドラム軸方向と直交する方向の２方向における位置を位置決めする位置決め機構において、上記光ヘッドの上記ドラム軸方向の引き出し方向手前側に設けられた手前側係合部及び上記ドラム軸方向の引き出し方向奥側に設けられた奥側係合部と、上記光ヘッドの上記手前側係合部と係合可能に上記画像形成ユニットの上記ドラム軸方向に沿って設けられたユニット係合部と、上記画像形成装置本体の上記画像形成ユニットの装着部奥側に設けられ、上記光ヘッドの上記奥側係合部と係合可能な装置本体係合部と、から成って構成される。
【００１３】
この位置決め機構において、例えば、上記光ヘッドの上記手前側係合部は係合孔であり、上記ユニット係合部は上記画像形成ユニットにおいて上記ドラム軸方向の引き出し方向手前側における上記感光体ドラムとの係合部に形成された係合凸部であるように構成され、更に、例えば、上記光ヘッドの上記奥側係合部は係合孔又は係合凸部であり、上記画像形成装置本体の上記装着部奥側に設けられた装置本体係合部は係合凸部又は係合孔であるように構成される。
【発明の効果】
【００１４】
本発明によれば、光ヘッドの、画像形成ユニットの感光体ドラムに対するドラム軸方向の引き出し方向手前側及び奥側の位置決め用係合部の相手側係合部を、画像形成ユニットのフレームと画像形成装置本体側のフレームとの機能の異なる２箇に分離して設けるので、光ヘッドのドラム軸方向の引き出し方向奥側の位置決め用係合部に対応する係合部を画像形成ユニットにおいて感光体ドラムキットの着脱方向奥側に設ける必要がなく、したがって、感光体ドラムキットの着脱方向奥側に光ヘッドの部位と競合する部位がなくなり、これにより、光ヘッドを感光体ドラムから小さな距離で離隔させるだけで感光体ドラムキット又は画像形成ユニット全体を画像形成装置本体の装着部に対して自在に挿脱でき、画像形成ユニットの着脱が簡単で且つ部材配設空間を可及的に小さく構成できる位置決め機構を提供することが可能となる。
【発明を実施するための最良の形態】
【００１５】
以下、本発明の実施の形態を図面を参照しながら説明する。
（実施形態１）
図１は、本発明の実施形態１における二次転写式画像形成装置（以下、単にプリンタという）の内部構成を説明する断面図である。同図に示すプリンタ１は、電子写真式で二次転写方式のタンデム型のカラー画像形成装置であり、４つの画像形成部２、中間転写ベルトユニット３、給紙部４、及び両面印刷用搬送ユニット５で構成されている。
【００１６】
上記４つの画像形成部２は、同図の右から左へ４個の画像形成ユニット６（６Ｍ、６Ｃ、６Ｙ、６Ｋ）を多段式に並設した構成からなる。  上記４個の画像形成ユニット６のうち上流側（図の右側）の３個の画像形成ユニット６Ｍ、６Ｃ及び６Ｙは、それぞれ減法混色の三原色であるマゼンタ（Ｍ）、シアン（Ｃ）、イエロー（Ｙ）の色トナーによるモノカラー画像を形成し、画像形成ユニット６Ｋは、主として文字や画像の暗黒部分等に用いられるブラック（Ｋ）トナーによるモノクロ画像を形成する。
【００１７】
上記の各画像形成ユニット６は、トナー容器に収納されたトナーの色を除き全て同じ構成である。したがって、以下ブラック（Ｋ）用の画像形成ユニット６Ｋを例にしてその構成を説明する。
【００１８】
画像形成ユニット６は、最下部に感光体ドラム７を備えている。この感光体ドラム７は、その周面が例えば有機光導電性材料で構成されている。この感光体ドラム７の周面近傍を取り巻いて、クリーナ８、帯電ローラ９、光ヘッド１１、及び現像器１２の現像ローラ１３が配置されている。
【００１９】
現像器１２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備え、下部には側面開口部に上述した現像ローラ１３を備え、内部にトナー撹拌部材、現像ローラ１３にトナーを供給するトナー供給ローラ、現像ローラ１３上のトナー層を一定の層厚に規制するドクターブレード等を備えている。
【００２０】
中間転写ベルトユニット３は、本体装置のほぼ中央で図の左右のほぼ端から端まで扁平なループ状になって延在する無端状の転写ベルト１４と、この転写ベルト１４を掛け渡されて転写ベルト１４を図の反時計回り方向に循環移動させる駆動ローラ１５と従動ローラ１６を備えている。
【００２１】
上記の転写ベルト１４は、トナー像を直接ベルト面に転写（一次転写）されて、そのトナー像を更に用紙に転写（二次転写）すべく用紙への転写位置まで搬送するので、ここではユニット全体を中間転写ベルトユニットといっている。
【００２２】
この中間転写ベルトユニット３は、上記扁平なループ状の転写ベルト１４のループ内にベルト位置制御機構１７を備えている。ベルト位置制御機構１７は、転写ベルト１４を介して感光体ドラム７の下部周面に押圧する導電性発泡スポンジから成る一次転写ローラ１８を備えている。
【００２３】
ベルト位置制御機構１７は、マゼンタ（Ｍ）、シアン（Ｃ）及びイエロー（Ｙ）の３個の画像形成ユニット６Ｍ、６Ｃ及び６Ｙに対応する３個の一次転写ローラ１８を鉤型の支持軸を中心に同一周期で回転移動させ、ブラック（Ｋ）の画像形成ユニット６Ｋに対応する１個の一次転写ローラ１８を上記３個の一次転写ローラ１８の周期と異なる回転移動周期で回転移動させて転写ベルト１４を感光体ドラム７から離接させ、フルカラーモード（４個全部の一次転写ローラ１８が転写ベルト１４に当接）、モノクロモード（画像形成ユニット６Ｋに対応する一次転写ローラ１８のみが転写ベルト１４に当接）、及び全非転写モード（４個全部の一次転写ローラ１８が転写ベルト１４から離れる）に切換える。
【００２４】
上記の中間転写ベルトユニット３には、上面部のベルト移動方向最上流側の画像形成ユニット６Ｍの更に上流側に、ベルトクリーナユニットが配置され、下面部のほぼ全面に沿い付けるように平らで薄型の廃トナー回収容器１９が着脱自在に配置されている。
【００２５】
給紙部４は、上下２段に配置された２個の給紙カセット２１を備え、２個の給紙カセット２１の給紙口（図の右方）近傍には、それぞれ用紙取出ローラ２２、給送ローラ２３、捌きローラ２４、待機搬送ローラ対２５が配置されている。待機搬送ローラ対２５の用紙搬送方向（図の鉛直上方向）には、転写ベルト１４を介して従動ローラ１６に圧接する二次転写ローラ２６が配設されて、用紙への二次転写部を形成している。
【００２６】
この二次転写部の下流（図では上方）側にはベルト式熱定着装置２７が配置されて、ベルト式熱定着装置２７の更に下流側には、定着後の用紙をベルト式熱定着装置２７から搬出する搬出ローラ対２８、及びその搬出される用紙を装置上面に形成されている排紙トレー２９に排紙する排紙ローラ対３１が配設されている。
【００２７】
両面印刷用搬送ユニット５は、上記搬出ローラ対２８と排紙ローラ対３１との中間部の搬送路から図の右横方向に分岐した開始返送路３２ａ、それから下方に曲がる中間返送路３２ｂ、更に上記とは反対の左横方向に曲がって最終的に返送用紙を反転させる終端返送路３２ｃ、及びこれらの返送路の途中に配置された４組の返送ローラ対３３ａ、３３ｂ、３３ｃ、３３ｄを備えている。上記終端返送路３２ｃの出口は、給紙部４の下方の給紙カセット２１に対応する待機搬送ローラ対２５への搬送路に連絡している。
【００２８】
また、本例において中間転写ベルトユニット３の上面部には、クリーニング部３５、取り込みローラ３６が配置されている。クリーニング部３５は、転写ベルト１４の上面に当接して廃トナーを擦り取って除去し、取り込みローラ３６はクリーニング部３５が除去した廃トナーを引き継いで、図示を省略したベルトクリーナユニットの一時貯留部に溜め込み、その溜め込まれた廃トナーを搬送スクリューにより落下筒内を上部まで搬送し、落下筒を介して廃トナー回収容器１９に送り込んでいる。
【００２９】
また、上記のクリーニング部３５を適度の圧力で転写ベルト１４に圧接させるために、中間転写ベルトユニット３側には、下方から転写ベルト１４をクリーニング部３５に向けて押圧する押圧ローラ３７が設けられている。
【００３０】
図１に示すように、この画像形成装置１は、従来の用紙に直接トナー像を転写する方式ではなく、待機搬送ローラ対２５により二次転写部まで鉛直方向に搬送される用紙に中間転写ベルト１４を介してトナー像を転写する方式となっている。
【００３１】
したがって、用紙の搬送路に発生する用紙ジャム等の不具合を回復するメンテナンス処理時には、図１の右側を開放するのみで対処できるようになっている。
そして、用紙ジャム等の不具合はキット類の配設部では発生しないので、図１の左側に集中するキット類などの消耗品の着脱の操作は、長手方向に入れ替え操作するだけの小さなスペースで良いように構成されている。
【００３２】
これにより、キット間の寸法は、可及的に縮小されており、装置本体全体の小型化が図られている。また、光ヘッド自体も小型化され、感光体ドラムに、より近接している構成となっている。
【００３３】
図２は、そのように小型化された４個の光ヘッドがそれぞれヘッドホルダー内に収納されて、これらが集約的にホルダベースに纏めて保持されている状態を下方から見た斜視図である。
【００３４】
尚、図２は、光ヘッド１１、ヘッドホルダ３８、及びホルダベース３９を示している。また、ヘッドカバーを介して光ヘッド１１の直下に位置する感光体ドラム７も示している。
【００３５】
この感光体ドラム７は画像形成ユニットの構成部材であり、光ヘッド１１はヘッドユニットの構成部材である。つまり、それぞれ別体のユニットに組み込まれている部材である。これらは相互の位置関係を示す参考のために、同図において一体的に示している。
【００３６】
図３は、図２のＡ−Ａ′断面矢視図である。図３には、上記の光ヘッド１１、ヘッドホルダ３８、ホルダベース３９、及び感光体ドラム７と、更に、リリースロッド４１、ヘッドバネ４２、詳しくは後述するスペーサ４３等も示している。
【００３７】
図４(a) は、図２のＢ−Ｂ′断面矢視図であり、同図(b) はその一部拡大図である。図４(a) には、上記の光ヘッド１１、ヘッドホルダ３８、ホルダベース３９、リリースロッド４１、及び感光体ドラム７と、更に、解除レバー４４、前方リフタ４５、後方リフタ４６、前方ヘッドピン４７、及び後方ヘッドピン４８を示している。
【００３８】
また、図４(b) には、上記の光ヘッド１１、リリースロッド４１、スペーサ４３と、更に、光ヘッド１１による光書込みのピント出しを行う前方位置決め部材４９、及び感光体ドラム７の前方外端部を支持して保護するドラムカバー５１を示している。
【００３９】
図５(a),(c) は、図４に示す構成から、ヘッドホルダ３８及びホルダベース３９を取り除いて示す斜視図であり、図５(b),(d) は、図５(a),(c) をそれぞれその左側から見た斜視図である。
【００４０】
図５(a),(b) は、図４に示したように感光体ドラム７の表面に対向配置された光ヘッド１１が、感光体ドラム７の表面に対し光書き込みのための所定の近接位置に位置している状態を示している。
【００４１】
そして、図５(c),(d) は、光ヘッド１１が感光体ドラム７の表面に対して上記の近接位置よりも離隔する離隔位置に位置している状態を示している。
図５(a) 〜(d) において、解除レバー４４には前方リフタ４５が連設されており、この前方リフタ４５にリリースロッド４１を介して後方リフタ４６が連動可能に配置されている。
【００４２】
リリースロッド４１は、コの字形の中央部を支持部材５２（図５(b),(d) には図示省略）により回動可能に支持され、コの字形の両端部がそれぞれ前方リフタ４５及び後方リフタ４６の下部に回転可能に係合している。
【００４３】
上記の光ヘッド１１による感光体ドラム７の表面に対する図５(a),(b) に示す近接と図５(c),(d) に示す離隔は、同図(a),(b) に示す近接位置にあるときの解除レバー４４が、オペレータの手によって、同図(b),(d) に矢印ａで示すように、上方に引き上げられることによる。
【００４４】
解除レバー４４が上方に引き上げられると、解除係合ー４４に連設されている前方リフタ４５が図５(c) に矢印ｂで示すように上昇し、これと同時に前方リフタ４５に係合するリリースロッド４１の前端部が上昇してリリースロッド４１全体を矢印ｃで示すように回動させ、この回動に連動してリリースロッド４１の後端部に係合する後方リフタ４６が矢印ｄで示すように、前方リフタ４５と同一距離だけ上昇する。
【００４５】
これにより、前方リフタ４５及び後方リフタ４６により前後両端部を支持されている光ヘッド１１が図４(a) に示すヘッドバネ４２の押し下げ付勢力に抗して上方に移動する。すなわち、光ヘッド１１が感光体ドラム７の表面に対する離隔位置に離隔する。
【００４６】
このとき、同図(a),(b) に示すように光ヘッド１１の下面に係合していた前方ヘッドピン４７及び後方ヘッドピン４８の光ヘッド１１との係合が、それぞれ同図(c),(d) に示すように解除される。
【００４７】
図６(a) は、図５(a),(b) の中央部の側断面図であり、図６(b) は同図(a) の丸Ｂで囲んで示す部分の拡大図、図６(c) は同図(a) の丸Ｃで囲んで示す部分の拡大図である。
この図６(a),(b),(c) には、光ヘッド１１が感光体ドラム７の表面に対し光書き込みのための所定の近接位置に位置している状態のときを示している。
【００４８】
この状態において、図６(b) に示すように、光ヘッド１１のドラム軸方向の引き出し方向手前側に形成されている手前側係合部としての前方ヘッド係合孔５３に、画像形成ユニット６のドラム軸方向に沿って設けられたユニット係合部としての感光体ドラム７のドラムカバー５１に一体に突設された前方ヘッドピン４７が嵌入して、光ヘッド１１と画像形成ユニット６相互のＸＹ方向（主走査方向及び副走査方向）の位置決めをしている。
【００４９】
また、このとき感光体ドラム７の前端部周面に、スペーサ４３を介して前方位置決め部材４９が当接することにより、光ヘッド１１によるＺ方向の位置（光ヘッド１１による光書込みのピント出し位置）が位置決めされる。
【００５０】
また、図６(a) に示す状態において、図６(c) に示すように、光ヘッド１１のドラム軸方向の引き出し方向奥側に形成されている奥側係合部としての後方ヘッド係合孔５４に、画像形成装置（プリンタ１）本体の、画像形成ユニット６の装着部奥側に設けられ光ヘッド１１の後方ヘッド係合孔５４と係合可能な装置本体係合部としての後方ヘッドピン４８が嵌入して光ヘッド１１と画像形成ユニット６相互のＸＹ方向の位置決めを間接的に行っている。
【００５１】
上記の後方ヘッドピン４８は、プリンタ１本体の画像形成ユニット６の装着部奥側のやや内側に折り曲げられた本体フレーム５５の端部にこの本体フレーム５５と一体に固設された係合凸部を形成している。
【００５２】
他方、感光体ドラム７の後端部には、後述するプリンタ１本体側の駆動系との係合部６１が形成されており、その係合部６１がプリンタ１本体側の駆動系の感光体ドラム駆動部に係合することにより自動的に本体フレーム５５に対して位置決めされる。
【００５３】
これにより、光ヘッド１１と画像形成ユニット６相互間の位置決めが、本体フレーム５５及び感光体ドラム７を介して間接的に行われる。
上記の光ヘッド１１に対する位置決めを換言すれば、光ヘッド１１に対する位置決めのための係合部を、画像形成ユニット６と画像形成装置本体１側とに設けて、機能分離型の位置決め機構を構築しているといえる。
【００５４】
尚、図６(c) においても、感光体ドラム７の後端部周面に、他のスペーサ４３を介して後方位置決め部材５６が当接することにより、Ｚ方向の位置が位置決めされる。
上記の光ヘッド１１が、図６(a),(b),(c) に示す感光体ドラム７の表面に対し光書き込みのための所定の近接位置に位置している状態から、図５(c),(d) に示した離隔位置に離隔すると、図６(b),(c)  に示す前方ヘッドピン４７が前方ヘッド係合孔５３から抜け出して前方ヘッド係合孔５３との係合を解除されると共に、後方ヘッドピン４８が後方ヘッド係合孔５４から抜け出して後方ヘッド係合孔５４との係合を解除される。
【００５５】
このとき、前方ヘッドピン４７は感光体ドラム７の前端部側に突設されているが、後方ヘッドピン４８は本体フレーム５５に突設されているので感光体ドラム７の後端部側には前方ヘッドピン４７のように突設されたものは存在しない。
【００５６】
これにより、前方ヘッドピン４７が前方ヘッド係合孔５３から抜け出すだけの間隙を光ヘッド１１と感光体ドラム７との間に形成しさえすれば、前方ヘッドピン４７が突設されている感光体ドラム７の前端部は勿論、係合凸部を持たない感光体ドラム７の後端部も光ヘッド１１の底面の端部近傍の凹凸構成と位置的に競合することなく、装着部からドラム軸方向前方へ脱抜することができる。
【００５７】
このように、画像形成ユニットの着脱が簡単で且つ部材配設空間を可及的に小さく構成できる位置決め機構が実現する。
次に、光ヘッド１１と感光体ドラム７との間におけるＺ方向の位置決め、すなわち光ヘッド１１による光書込みのピント出し位置の位置決めについて以下に説明する。
【００５８】
図５(a) 〜(d) で説明したように感光体ドラム７と光ヘッド１１とが相対的に接離する構成であるとき、光ヘッド１１がＺ方向の正規位置（上述した所定の近接位置）に設定されるとき、その位置決めのために、通常、突き当てピン、スライドカム等の位置決め装置が使用されている場合が多い。本例では、感光体ドラム７と光ヘッド１１間の位置決めにスペーサを使用している。
【００５９】
図７(a),(b),(c) は、スペーサの感光体ドラムへの配設位置を示す図である。尚、図７(a),(b),(c) では、感光体ドラム７への配設位置を分かり易く示すためスペーサ４３を単体で示しているが、実際には本例のスペーサ４３は、図７(a),(b),(c) に示すように単体で配設されるのではなく、例えば、帯電ローラ９の軸受等に一体化して取り付けられている。
【００６０】
図７(a) に示すように、スペーサ４３は、感光体ドラム７の両端部のフランジ５７（５７ａ、５７ｂ）の、ドラム部７−１との境界部分５８に摺接するように配設される。これにより、図６(b),(c) で説明したように、感光体ドラム７と光ヘッド１１との間隔が位置決めされる。
【００６１】
感光体ドラム７の一方の端部のフランジ５７ａは、図７(b),(c) に示すうように、上記のドラム部７−１との境界部分５８、ギア部５９、及び本体装置駆動系との係合部６１から成る。
【００６２】
また、感光体ドラム７の他方の端部のフランジ５７ｂは、図７(a) に示すように、ドラム部７−１との境界部分５８、及びギア部６２から成る。
上記の係合部６１は、本体装置の駆動系に係合して回転駆動され、両端部のギア部５９及び６２により、画像形成ユニットの回転系に係合して、画像形成ユニット内に配設されている回転部材に回転駆動を伝達する。
【００６３】
図８(a),(b) はスペーサの実際の組み込み状態とその動作状態を示す図である。本例のスペーサ４３は、上述したように帯電ローラ９の軸受に一体化して取り付けられていることにより、上記の帯電ローラ９の感光体ドラム７への圧接及び圧接解除の動作に連動して、スペーサ４３が感光体ドラム７の両端部と離接し、このスペーサ４３に光ヘッド１１の両端部が離接する。
【００６４】
このようにスペーサ４３が帯電ローラ９の軸受と一体化していることにより、感光体ドラム７及び光ヘッド１１との離接によっても位置が変動することなく、図８(a) に示すように、感光体ドラム７と光ヘッド１１とに接して両者間に介装されるときは常に同一位置で介装され、これにより、感光体ドラム７と光ヘッド１１との間隔が常に安定して位置決めされるようになっている。
【図面の簡単な説明】
【００６５】
【図１】実施形態１における二次転写式画像形成装置（プリンタ）の内部構成を説明する断面図である。
【図２】４個の光書込みヘッドを収納したヘッドホルダーがホルダーベースに纏めて保持されている状態を下方から見た斜視図である。
【図３】図２のＡ−Ａ′断面矢視図である。
【図４】(a) は図２のＢ−Ｂ′断面矢視図、(b) はその一部拡大図である。
【図５】(a),(c) は図４に示す構成からヘッドホルダー及びホルダーベースを取り除いて示す斜視図、(b),(d) は(a),(c) をそれぞれその左側から見た斜視図である。
【図６】(a) は図５(a),(b) の中央部の側断面図、(b) は(a) の丸Ｂで囲んで示す部分の拡大図、(c) は(a) の丸Ｃで囲んで示す部分の拡大図である。
【図７】(a),(b),(c) はスペーサの感光体ドラムへの配設位置を示す図である。
【図８】(a),(b) はスペーサの実際の組み込み状態とその動作状態を示す図である。
【符号の説明】
【００６６】
１      プリンタ
２      画像形成部
３      中間転写ベルトユニット
４      給紙部
５      両面印刷用搬送ユニット
６（６Ｍ、６Ｃ、６Ｙ、６Ｋ）  画像形成ユニット
７（７ｍ、７ｃ、７ｙ、７ｋ）  感光体ドラム
７−１  ドラム部
８      クリーナ
９      帯電ローラ
１１    光書込ヘッド（光ヘッド）
１２    現像器
１３    現像ローラ
１４    転写ベルト
１５    駆動ローラ
１６    従動ローラ
１７    ベルト位置制御機構
１８    一次転写ローラ
１９    廃トナー回収容器
２１    給紙カセット
２２    用紙取出ローラ
２３    給送ローラ
２４    捌きローラ
２５    待機搬送ローラ対
２６    二次転写ローラ
２７    ベルト式熱定着装置
２８    搬出ローラ対
２９    排紙トレー
３１    排紙ローラ対
３２ａ  開始返送路
３２ｂ  中間返送路
３２ｃ  終端返送路
３３ａ、３３ｂ、３３ｃ、３３ｄ  返送ローラ対
３５    クリーニング部
３６    取り込みローラ
３７    押圧ローラ
３８    ヘッドホルダ
３９    ホルダベース
４１    リリースロッド
４２    ヘッドバネ
４３    スペーサ
４４    解除レバー
４５    前方リフタ
４６    後方リフタ
４７    前方ヘッドピン
４８    後方ヘッドピン
４９    前方位置決め部材
５１    ドラムカバー
５２    支持部材
５３    前方ヘッド係合孔
５４    後方ヘッド係合孔
５５    本体フレーム
５６    後方位置決め部材
５７（５７ａ、５７ｂ）  フランジ
５８    境界部分
５９    ギア部
６１    係合部
６２    ギア部
【図１】
2006258909.tif 000003
【図５】
2006258909.tif 000004
【図７】
2006258909.tif 000005
【図８】
2006258909.tif 000006
【図２】
2006258909.tif 000007
【図３】
2006258909.tif 000008
【図４】
2006258909.tif 000009
【図６】
2006258909.tif 000010